(57)【要約】      （修正有）【課題】コアネットワーク内の制御装置の台数を削減でき、かつ、マルチキャストベアラを構築するための処理手順も大幅に簡略化できるマルチキャスト配信システムを提供する。【解決手段】コアネットワーク制御ノード装置３に、マルチキャストデータを受信させるためのマルチキャストプロキシ部３ｂを設け、マルチキャストのユーザープレーンの信号を扱う機能を付加する。そして、コアネットワーク制御ノード装置３から無線基地局４への初期設定指示として、ユニキャストベアラ構築指示とともにマルチキャストベアラ構築指示を送信する。無線基地局４は、移動端末５が初期接続する際に、それらマルチキャストベアラ構築指示とユニキャストベアラ構築指示を移動端末５に送信する。移動端末５はこれを受けて、無線基地局４との間にマルチキャストベアラとユニキャストベアラを、無線基地局４への初期接続段階で構築する。【選択図】図１
2020123942.tif 000002
【特許請求の範囲】
【請求項１】
コアネットワーク制御ノード装置と、前記コアネットワーク制御ノード装置と物理回線により接続される無線基地局と、該無線基地局と無線接続される移動端末とを有し、前記コアネットワーク制御ノード装置から前記移動端末にｅＭＢＭＳ（evolved Multimedia Broadcast Multicast Service）に準拠したマルチキャストデータを配信可能に構成され、
前記コアネットワーク制御ノード装置はコアネットワークのコントロールプレーンとユーザープレーンの制御ノードに兼用されるものであり、コア側送受信部と、外部から配信されるマルチキャストデータを前記コア側送受信部に受信させるマルチキャストプロキシ部と、前記移動端末の初期接続時におけるマルチキャストベアラ構築指示を前記無線基地局に向け前記コア側送受信部に送信させるコア側マルチキャストベアラ構築指示部と、前記移動端末の初期接続時におけるユニキャストベアラ構築指示を前記無線基地局に向け前記コア側送受信部に送信させるコア側ユニキャストベアラ構築指示部とを備え、
前記無線基地局は、前記マルチキャストベアラ構築指示を受信するマルチキャストベアラ構築指示受信部と、前記ユニキャストベアラ構築指示を受信するユニキャストベアラ構築指示受信部と、基地局側無線送受信部と、前記マルチキャストベアラ構築指示を前記移動端末に向け前記基地局側無線送受信部に送信させる基地局側マルチキャストベアラ構築指示部と、前記ユニキャストベアラ構築指示を前記移動端末に向け前記基地局側無線送受信部に送信させる基地局側ユニキャストベアラ構築指示部とを備え、
前記移動端末は、端末側無線送受信部と、前記マルチキャストベアラ構築指示を受信することにより、前記無線基地局との間にマルチキャストベアラを初期接続段階にて前記端末側無線送受信部に構築させるマルチキャストベアラ構築部と、前記ユニキャストベアラ構築指示を受信することにより、前記無線基地局との間にユニキャストベアラを初期接続段階にて前記端末側無線送受信部に構築させるユニキャストベアラ構築部とを備え、
前記マルチキャストデータを前記コアネットワーク制御ノード装置、前記無線基地局及び前記マルチキャストベアラを介して前記移動端末に送信することを特徴とするマルチキャスト配信システム。
【請求項２】
前記無線基地局は、前記マルチキャストベアラが構築されるのに先立って前記移動端末に対し、マルチキャストチャネル情報をＰＢＣＨ（Physical Broadcast Channel）を用いて配信するマルチキャストチャネル情報配信部を有し、
前記移動端末は、前記マルチキャストチャネル情報を受信して前記マルチキャストベアラのチャネル設定を行なうマルチキャストチャネル設定部を有する請求項１記載のマルチキャスト配信システム。
【請求項３】
前記マルチキャストチャネル情報はＭＩＢ（Master Information Block）に組み込まれた形で配信される請求項２記載の無線通信システム。
【請求項４】
前記コアネットワークノード装置は、受信する前記マルチキャストデータにおいて予め定められた送信先ＩＰアドレスを付与されたマルチキャストパケットのみを送信対象マルチキャストパケットとして前記コア側送受信部に送信させるマルチキャストパケット管理部を有する請求項１ないし請求項３のいずれか１項に記載のマルチキャスト配信システム。
【請求項５】
前記無線基地局は前記マルチキャストデータをコアネットワークノード装置から受信した場合に、接続中の移動端末に対し該マルチキャストデータを、付与された送信先アドレスとは無関係に前記マルチキャストベアラにより送信する請求項４記載のマルチキャスト配信システム。
【発明の詳細な説明】
【技術分野】
【０００１】
この発明は携帯端末等の移動端末を含んだマルチキャスト配信システムに関するものであり、特にＬＴＥ（Long Term Evolution）システムなどにおいて、ｅＭＢＭＳ（evolved Multimedia Broadcast Multicast Service）に準拠したマルチキャストデータの配信機能を、より簡便なネットワーク構成にて実現するためのマルチキャスト配信システムに関する。
【背景技術】
【０００２】
移動通信システムの標準化プロジェクトである３ＧＰＰ（Third Generation  Partnership Project）において、マルチキャスト／ブロードキャストサービスを提供するために、ｅＭＢＭＳが仕様化されている。現行のｅＭＢＭＳにおいては、複数のセルからなるＭＢＳＦＮ（Multicast-Broadcast Single−Frequency Network）のエリア単位で、ＰＭＣＨ（Physical Multicast Channel）を介してマルチキャスト／ブロードキャストデータが送信される（ＭＢＳＦＮ伝送）。
【０００３】
これらの技術は、特許文献１及び特許文献２等により公知である。例えば特許文献２の段落００６７以下には、コアネットワークからｅＭＢＭＳデータをＩＰマルチキャストで配信するシステムが、例えば次のように開示されている。すなわち、コアネットワークはセッション確立の際にＩＰマルチキャストアドレスを無線基地局に通知する。無線基地局は、そのＩＰマルチキャストアドレスで示されるＩＰマルチキャストグループに参加する。ＩＰマルチキャストグループに参加した無線基地局にはＩＰネットワーク内のＩＰマルチキャストルータによってｅＭＢＭＳデータのパケットが配信される。この場合、ＩＰマルチキャストによってｅＭＢＭＳデータを配信するので、ＩＰネットワーク内にＩＰマルチキャストルータが設けられている必要がある。
【０００４】
特許文献１にはＩＰマルチキャストルータの詳細については触れられていないが、特許文献２の段落００３７以下にその具体的な開示がある。以下、図１３を用いてその要旨を説明する。コアネットワーク（ＥＰＣ：Evolved Packet Core）は、ＢＭ−ＳＣ（Broadcast Multicast Service Center）２０６、ＭＢＭＳ−ＧＷ（Multimedia Broadcast Multicast Service Gateway）２０１、ＭＭＥ（Mobility Management Entity）２０２、ＭＣＥ（Multi-cell multicast Coordination Entity）２０３を含む。ＭＢＭＳ−ＧＷ２０１は、Ｍ１インターフェースを介してｅＮｏｄｅＢ（無線基地局）２０４と接続され、Ｓｍインターフェースを介してＭＭＥ２０２と接続され、さらにＳＧ−ｍｂ及びＳＧｉ−ｍｂインターフェースを介してＢＭ−ＳＣ２０６と接続される。
【０００５】
ＢＭ−ＳＣ２０６は、データ配信元となるメディアサーバ２０７からマルチキャストのコンテンツデータを収集し、配信先となるグループメンバーシップやＱｏＳ（Quality of Service）の管理、マルチキャスト/ブロードキャストセッションのアナウンス、セキュリティなどマルチキャスト配信全般のサービス管理を行なう。ＭＢＭＳ−ＧＷ２０１は、ｅＭＢＭＳにおけるコアネットワークのユーザープレーン(U-Plane）側のゲートウェイに相当し、ｅＮｏｄｅＢ２０４に対するマルチキャストデータ伝送やセッション制御を行う。他方、ＭＭＥ２０２は、同じくコントロールプレーン（C-Plane）側のゲートウェイに相当し、基地局であるｅＮｏｄｅＢ２０４との間で通信に必要な制御信号を仲介する交換局としての機能を果たす。具体的には、ＮＡＳ（Non Access Stratum）と呼ばれるＵＥ認証制御や、ルーティング（接続経路設定）の要求、さらにはハンドオーバーの際にＵＥごとのデータ送受信管理情報を異なるｅＮｏｄｅＢ間で交換させるための仲介を行なう。ＭＣＥ２０３はマルチキャスト制御装置に相当し、ＭＢＳＦＮの無線リソース管理及び割当等の機能を担うとともに、ＭＢＳＦＮを構成するｅＮｏｄｅＢ間にてデータ送信に使用する無線リソースを指定することにより、ｅＮｏｄｅＢ２０４が受け持つ移動端末へのコンテンツ配信を同期させる役割を果たす。
【０００６】
Ｍ１インターフェースは、ユーザープレーンのインターフェースであり、マルチキャストにおけるユーザーデータの伝送路として機能する。一方、Ｍ２インターフェースとＭ３インターフェースはコントロールプレーンのインターフェースであり、マルチキャストにおける制御データの伝送路として機能する。具体的にはＭ２インターフェースはＥ−ＵＴＲＡＮ内のコントロールプレーンインタフェースを、Ｍ３インターフェースはＥ−ＵＴＲＡＮとコアネットワーク間のコントロールプレーンインタフェースをそれぞれ構成する。また、ＳＧｍｂ/ＳＧｉｍｂインターフェースは、コアネットワークにおけるＢＭ−ＳＣ２０６とＭＢＭＳ−ＧＷ２０１間のコントロールプレーン及びユーザープレーンの共用インターフェースである。また、ＳＭインターフェースは、 ＭＭＥ２０２とＭＢＭＳ−ＧＷ２０１間のコントロールプレーンの参照ポイントを形成するためのものである。
【先行技術文献】
【特許文献】
【０００７】
【特許文献１】特開２０１３−１４６１０９号公報
【特許文献２】特開２０１８−１１３７０６号公報
【発明の概要】
【発明が解決しようとする課題】
【０００８】
上記従来のシステム構成は、ＩＰネットワーク上の不特定多数のＵＥに向け、例えば大容量の動画データ等が同時にストリーミング配信される、といった状況も想定して構築されている。例えば、マルチキャスト配信されるコンテンツデータは、その収集と配信管理のためにＢＭ−ＳＣ２０６をいったん経由してからコアネットワークに送信される。そして、大容量のコンテンツ処理を実現するために、コンテンツを構成するマルチキャストデータは、ユーザープレーン側のゲートウェイ装置であるＭＢＭＳ−ＧＷ２０１にて受信する。一方、制御データについてはコントロールプレーン側のゲートウェイ装置であるＭＭＥ２０２が、ＳＭインターフェースを介してＭＢＭＳ−ＧＷ２０１を参照する形で生成する。該制御データは、ユーザープレーンとは別の伝送経路（Ｍ３／Ｍ２インターフェース）を介して、ユーザーデータから分離されつつｅＮｏｄｅＢ２０４に流れるようになっている。すなわち、上記従来の構成では、コアネットワークの入り口部分でマルチキャストデータ配信処理のための装置として、ＢＭ−ＳＣ２０６、ＭＭＥ２０２及びＭＢＭＳ−ＧＷ２０１の３つが少なくとも必要となる。また、移動端末間のコンテンツ配信の同期制御を担うＭＣＥ２０３も制御プレーン側の装置としてさらに必要である。
【０００９】
上記のように、コアネットワーク側の制御装置の数が増大すれば、当然、その動作シーケンスも複雑化せざるを得ない。図１４は、通信シーケンス図によりその動作の流れを示すものであり、ｅＮｏｄｅＢ２０４を立ち上げると、コントロールプレーン側の初期化処理として、該ｅＮｏｄｅＢ２０４を上位装置であるＭＣＥ２０３とＭＭＥ２０２とに起動済み基地局として認識させるために、Ｍ２インターフェース及びＭ３インターフェースを介して順次セットアップ要求及び応答の手続き（符号１６１）を実施する必要がある。また、ＢＭ−ＳＣ２０６側からｅＮｏｄｅＢ２０４にマルチキャストデータの無線による信号伝送路であるマルチキャストベアラを構築するセッションの開始要求／応答の手続きも、ＢＭ−ＳＣ２０６／ＭＢＭＳ−ＧＷ２０１間、ＭＢＭＳ−ＧＷ２０１／ＭＭＥ２０２間、ＭＭＥ２０２／ＭＣＥ２０３間及びＭＣＥ２０３／ｅＮｏｄｅＢ２０４間と、隣接する制御装置間でことごとく必要となる（符号１６２及び１６３）。さらに、ＭＣＥ２０３／ｅＮｏｄｅＢ２０４間では、前述の同期制御のためのＭＢＭＳスケジューリング情報の送信／応答のステップも実施される。
【００１０】
例えば、災害対応報知や地域活性化などのため、エリアを限定した小規模なネットワークにおいても、データサイズの比較的小さい動画等をエリア内の比較的少数の移動端末に向けマルチキャスト配信したい、といった要望も今後増えてくるものと予測される。しかし、上記従来のシステム構成は制御装置の数が多く、ハードウェア構成が複雑かつ高価なものとなることが避けがたい上、図１４のごとくデータ送信のステップ数も多いため、ランニングコストが増加するので、小規模ネットワークにおけるマルチキャスト配信には明らかに不向きである。
【００１１】
本発明の課題は、コアネットワーク内の制御装置の台数を削減でき、かつ、マルチキャストベアラを構築するための処理手順も大幅に簡略化できるマルチキャスト配信システムを提供することにある。
【課題を解決するための手段】
【００１２】
上記の課題を解決するために、本発明のマルチキャスト配信システムは、コアネットワーク制御ノード装置と、該コアネットワーク制御ノード装置と物理回線により接続される無線基地局と、該無線基地局と無線接続される移動端末とを有し、コアネットワーク制御ノード装置から移動端末にｅＭＢＭＳ（evolved Multimedia Broadcast Multicast Service）に準拠したマルチキャストデータを配信可能に構成され、コアネットワーク制御ノード装置はコアネットワークのコントロールプレーンとユーザープレーンの制御ノードに兼用されるものであり、コア側送受信部と、外部から配信されるマルチキャストデータをコア側送受信部に受信させるマルチキャストプロキシ部と、移動端末の初期接続時におけるマルチキャストベアラ構築指示を無線基地局に向けコア側送受信部に送信させるコア側マルチキャストベアラ構築指示部と、移動端末の初期接続時におけるユニキャストベアラ構築指示を無線基地局に向けコア側送受信部に送信させるコア側ユニキャストベアラ構築指示部とを備え、無線基地局は、マルチキャストベアラ構築指示を受信するマルチキャストベアラ構築指示受信部と、ユニキャストベアラ構築指示を受信するユニキャストベアラ構築指示受信部と、基地局側無線送受信部と、マルチキャストベアラ構築指示を移動端末に向け基地局側無線送受信部に送信させる基地局側マルチキャストベアラ構築指示部と、ユニキャストベアラ構築指示を移動端末に向け基地局側無線送受信部に送信させる基地局側ユニキャストベアラ構築指示部とを備え、移動端末は、端末側無線送受信部と、マルチキャストベアラ構築指示を受信することにより、無線基地局との間にマルチキャストベアラを初期接続段階にて端末側無線送受信部に構築させるマルチキャストベアラ構築部と、ユニキャストベアラ構築指示を受信することにより、無線基地局との間にユニキャストベアラを初期接続段階にて端末側無線送受信部に構築させるユニキャストベアラ構築部とを備え、マルチキャストデータをコアネットワーク制御ノード装置、無線基地局及びマルチキャストベアラを介して移動端末に送信することを特徴とする。
【発明の効果】
【００１３】
本発明のマルチキャスト配信システムにおいては、コアネットワーク制御ノード装置をコントロールプレーンとユーザープレーンの制御ノードに兼用された装置として構成し、マルチキャストデータを受信させるためのマルチキャストプロキシ部を該コアネットワーク制御ノード装置に設ける。つまり、コアネットワーク制御ノード装置にマルチキャストのユーザープレーンのデータを扱う機能を付加する構成とする。そして、コアネットワーク制御ノード装置から無線基地局（例えば、ｅＮｏｄｅＢである）への初期設定指示として、ユニキャストベアラ構築指示とともにマルチキャストベアラ構築指示を送信する。無線基地局は、移動端末が初期接続する際に、それらマルチキャストベアラ構築指示とユニキャストベアラ構築指示を該移動端末に送信し、移動端末はこれを受けて無線基地局との間にマルチキャストベアラとユニキャストベアラを無線基地局への初期接続段階で構築する。
【００１４】
すなわち、コアネットワーク制御ノード装置は、マルチキャストプロキシ部を備え、コントロールプレーンとユーザープレーンの双方のデータを一括して取り扱うゲートウェイとして機能するので、従来のシステムにおいてユーザープレーン側の処理用に専用に設けられていたＭＢＭＳ−ＧＷが不要となる。また、メディアサーバからのマルチキャストデータデータ（例えば、コンテンツデータ）の収集をマルチキャストプロキシ部が担い、かつ、無線基地局との間にデフォルトにてマルチキャストベアラが張られることで、実質的なＢＭ−ＳＣの機能もコアネットワーク制御ノード装置が代行することができる。よって、本発明の構成によればＢＭ−ＳＣも省略することができる。
【００１５】
その結果、マルチキャスト配信を実現するためのシステム全体のハードウェア構成及び動作シーケンス（を実現するためのソフトウェア）は格段に簡略化され、マルチキャストベアラ構築設定処理のステップ数も大幅に削減することができる。また、コントロールプレーン側とユーザープレーン側の処理主体となる装置がコアネットワーク制御ノード装置に一本化されることで、制御データとユーザーデータとの同期制御が容易となり、ＭＣＥ等の余分な装置を設ける必要がなくなる。さらに、移動端末が無線基地局へ初期接続した段階で、移動端末とコアネットワークとの間には、ユニキャストベアラだけではなくマルチキャストベアラもデフォルトで張られる状態が実現するので、マルチキャストデータを移動端末に向けて送信できる環境がシステム立ち上げ直後から整い、配信遅延なども生じにくくなる。装置及びソフトウェアの簡略化により、エリアを限定した小規模なネットワークにおいて比較的少数の移動端末に向けてマルチキャスト配信したい、といった要望にも柔軟に対応することが可能となる。
【図面の簡単な説明】
【００１６】
【図１】本発明の一実施形態であるマルチキャスト配信システムのブロック図。
【図２】ＥＰＣ（コアネットワーク制御ノード装置）のブロック図。
【図３】ｅＮｏｄｅＢ（無線基地局）及びＵＥ（移動端末）のブロック図。
【図４】ＩＰパケットの概念図。
【図５】３ＧＰＰのコントロールプレーンのプロトコルスタックを概念的に示す図。
【図６】３ＧＰＰのユーザープレーンのプロトコルスタックを概念的に示す図。
【図７】本発明における下りリンクのチャネルマッピングを概念的に示す図。
【図８】リソースブロックの概念図。
【図９】ＰＢＣＨを用いて配信される、ＭＩＢが組み込まれた無線データフレームの概念を示す図。
【図１０】本発明のマルチキャスト配信システムにおいてデフォルトのマルチキャストベアラを構築する際のセッションシーケンスを示す通信フロー図。
【図１１】ＥＰＣ側の処理の流れを示すフローチャート。
【図１２】ＵＥ側の処理の流れを示すフローチャート。
【図１３】従来のマルチキャスト配信システムのブロック図。
【図１４】従来のマルチキャスト配信システムにおいてマルチキャストベアラを構築する際のセッションシーケンスを示す通信フロー図。
【発明を実施するための形態】
【００１７】
以下、本発明を実施するための形態を添付の図面に基づいて説明する。
図１は、本発明の一実施形態であるマルチキャスト配信システムの全体構成を示すブロック図である。マルチキャスト配信システム１は３ＧＰＰ（Third Generation Partnership Project）仕様に従う発展型無線通信網、具体的にはＬＴＥシステムとして構成されている。ネットワークの要部は、コアネットワーク制御ノード装置（以下、ＥＰＣ（Evolved Packet Core）と称する）３と、無線基地局をなすｅＮｏｄｅＢ４と、これらを接続する物理回線網をなすＥ−ＵＴＲＡＮ７（Evolved Universal Terrestrial Radio Access Network：図示の部分はＳ１回線と称される）からなり、ｅＮｏｄｅＢ４には複数のＵＥ５（User Equipment：移動端末）が無線接続される。また、図示はしていないが、Ｅ−ＵＴＲＡＮ７は、ｅＮｏｄｅＢ４を他のｅＮｏｄｅＢ４と接続するためのハンドオーバー用のＸ２回線を含む。
【００１８】
ＥＰＣ３は、コントロールプレーンの制御ノード装置とユーザープレーンの制御ノード装置の各機能を兼用するものとして構成されている。このうち、コントロールプレーン側のノード装置機能は、図１４のＭＭＥ（Mobility Management Entity）２０２と等価な機能が組み込まれているのに対し、ユーザープレーン側のノード装置機能は、マルチキャストデータのみを扱う図１４のＭＢＭＳ−ＧＷ２０１ではなくＰＧＷ（Packet Data Gate Way）の機能が組み込まれている。ＰＧＷは、ユニキャストのユーザーデータのパケット配信制御を担うものであるが、後述のごとく、本発明においてはＥＰＣ３にマルチキャストプロキシ部３ｂが機能的に組み込まれていることで、マルチキャストのユーザーデータのパケット配信制御が実施可能となるように構成されている（当然、ｅＮｏｄｅＢ４を経由してＵＥ５との間では、ユニキャストデータの送受信も可能である）。ｅＮｏｄｅＢ４はＥ−ＵＴＲＡＮ７を介して該ＥＰＣ３に接続されている。そしてＥＰＣ３はマルチキャストプロキシ部３ｂにて、配信コンテンツを構成するマルチキャストデータをメディアサーバ６から受信するとともに、ＥＰＣ３からｅＮｏｄｅＢ４を経由してＵＥ５にｅＭＢＭＳ（evolved Multimedia Broadcast Multicast Service）に準拠したマルチキャストデータが配信されるようになっている。
【００１９】
図２はＥＰＣ３の構成例を示すブロック図である。ＥＰＣ３は、ＭＰＵ（Micro Processor Unit）にて構成された制御部３ａと、メディアサーバ６からマルチキャストデータを受信するための上位側送受信部３ｋと、コア側送受信部３ｆとがバス接続されたハードウェア構成を有する。コア側送受信部３ｆは、ｅＮｏｄｅＢ４との間でユニキャストデータ及びマルチキャストデータを送受信するためのものである。
【００２０】
ＥＰＣ３には、制御部３ａが実行するソフトウェアモジュール（又は制御部３ａからの指令により動作するハードウェアロジック）により機能実現する以下の要素が設けられている。
・マルチキャストプロキシ部３ｂ：外部から配信されるマルチキャストデータを上位側送受信部３ｋに受信させる。
・コア側マルチキャストベアラ設定指示部３ｄ：ＵＥ５の初期接続時におけるマルチキャストベアラ構築指示をｅＮｏｄｅＢ４に向けコア側送受信部３ｆに送信させる。
・コア側ユニキャストベアラ設定指示部３ｅ：ＵＥ５の初期接続時におけるユニキャストベアラ構築指示をｅＮｏｄｅＢ４に向けコア側送受信部３ｆに送信させる。
・マルチキャストパケット管理部３ｊ：図４に示すＩＰパケット３００の送信先ＩＰアドレス３０１ｂの内容に基づいて、配信されているデータがユニキャストパケットであるかマルチキャストパケットであるかを判別し、マルチキャストパケットである場合は、事前に登録されている配信対象のマルチキャストパケットであるか否かを判別する。
【００２１】
図３は、ｅＮｏｄｅＢ４及びＵＥ５の構成例を示すブロック図である。ｅＮｏｄｅＢ４はＭＰＵにて構成された制御部４ａと、ＥＰＣ３との間でＥ−ＵＴＲＡＮ７を経由してユニキャストデータ及びマルチキャストデータを送受信するための上位側送受信部４ｋと、基地局側無線送受信部４ｆとがバス接続されたハードウェア構成を有する。基地局側無線送受信部４ｆは、ユニキャストデータを送受信するためのユニキャスト送受信Ｉ／Ｆ４ｇとマルチキャストデータを送受信するためのマルチキャスト送受信Ｉ／Ｆ４ｈとを備える。また、上位側送受信部４ｋは、ＥＰＣ３からのマルチキャストベアラ構築指示を受信するマルチキャストベアラ構築指示受信部、及び、同じくユニキャストベアラ構築指示を受信するマルチキャストベアラ構築指示受信部として機能するものである。
【００２２】
また、ｅＮｏｄｅＢ４には、制御部４ａが実行するソフトウェアモジュール又は制御部４ａからの指令により動作するハードウェアロジックにより機能実現する以下の要素が設けられている。
・基地局側マルチキャストベアラ設定指示部４ｄ：ＵＥ５との初期接続に際してＵＥ５に対しマルチキャストベアラ構築指示を基地局側無線送受信部４ｆに送信させる。
・基地局側ユニキャストベアラ設定指示部４ｅ：ＵＥ５との初期接続に際してＵＥ５に対しユニキャストベアラ構築指示を基地局側無線送受信部４ｆに送信させる。
・マルチキャストチャネル情報配信部：ＵＥ５との間にマルチキャストベアラが構築されるのに先立ってＵＥ５に対し、マルチキャストベアラのチャネル設定に必要な情報であるマルチキャストチャネル情報をＰＢＣＨ（Physical Broadcast Channel：物理放送チャネル）を用いて配信する。
【００２３】
また、ＵＥ５はＭＰＵにて構成された制御部５ａと、端末側無線送受信部５ｆとがバス接続されたハードウェア構成を有する。端末側無線送受信部５ｆは、ユニキャストデータを受信するためのユニキャスト送受信Ｉ／Ｆ５ｇとマルチキャストデータを受信するためのマルチキャスト送受信Ｉ／Ｆ５ｈとを備える。また、制御部４ａが実行するソフトウェアモジュール又は制御部５ａからの指令により動作するハードウェアロジックにより機能実現する以下の要素が設けられている。
・マルチキャストベアラ構築部５ｂ：ｅＮｏｄｅＢ４からマルチキャストベアラ構築指示を受信することにより、ｅＮｏｄｅＢ４との間にマルチキャストベアラ１１を初期接続段階にて端末側無線送受信部５ｆに対しＰＭＣＨ（Physical Multicast Channel：物理マルチキャストチャネル）を用いて構築させる。
・ユニキャストベアラ構築部５ｃ：ｅＮｏｄｅＢ４からユニキャストベアラ構築指示を受信することによりｅＮｏｄｅＢ４との間にユニキャストベアラ１２を初期接続段階にて端末側無線送受信部５ｆに対しＰＤＳＣＨ（Physical Multicast Downlink Multicast Shared Channel：物理下りシェアドチャネル）を用いて構築させる。
・マルチキャストチャネル設定部５ｉ：マルチキャストチャネル情報を受信してマルチキャストベアラ１１のチャネル設定を行なう。
【００２４】
図４は、ユニキャストないしマルチキャストにて配信されるＩＰパケットの一例を示す模式図である。ＩＰパケット３００はＩＰヘッダ３０１とＩＰペイロード３０２とからなり、ＩＰヘッダ３０１にはパケット識別番号、データ配信元のＩＰアドレス、データ配信先のＩＰアドレスなどが書き込まれる。また、ＩＰペイロード３０２には、ユーザーデータの場合は配信コンテンツの主体となるデータが、制御データの場合は種々の制御コマンドなどが書き込まれる。ユニキャストパケットの場合は、データ配信先のＩＰアドレスとして配信先となるＵＥ５のＩＰアドレスが書き込まれる。他方、マルチキャストパケットの場合は、マルチキャストパケットの配信先を示す特有のＩＰアドレスが書き込まれる。
【００２５】
図５及び図６は、ＬＴＥシステムにおける無線インターフェースのプロトコルスタックを示し、図５はユーザープレーンのプロトコルスタックを、図６はコントロールプレーンのプロトコルスタックを示している。無線インターフェースプロトコルは、ＯＳＩ参照モデルのレイヤ１〜レイヤ３に区分されており、レイヤ１はＰＨＹ（物理）層である。レイヤ２は、ＭＡＣ（Medium Access Control：メディアアクセス制御）層、ＲＬＣ（Radio Link Control：無線リンク制御）層、及びＰＤＣＰ（Packet Data Convergence Protocol：パケットデータ暗号化）層を含む。レイヤ３は、ＲＲＣ（Radio Resource Control：無線リソース制御）層及びＮＡＳ（Non-Access Stratum：非アクセス）層を含む。
【００２６】
各層の役割は以下の通りである。
・ＰＨＹ層：符号化・復号、変調・復調、アンテナマッピング・デマッピング、及びリソースマッピング・デマッピングを行う。ＵＥ５のＰＨＹ層とｅＮｏｄｅＢ４のＰＨＹ層との間では、物理チャネルを介してデータ及び制御信号が伝送される。
・ＭＡＣ層：データの優先制御、ＨＡＲＱ（Ｈｙｂｒｉｄ  ＡＲＱ）による再送処理、及びランダムアクセス手順等を行う。ＵＥ５のＭＡＣ層とｅＮｏｄｅＢ４のＭＡＣ層との間では、トランスポートチャネルを介してデータ及び制御信号が伝送される。ｅＮｏｄｅＢ４のＭＡＣ層は、上下リンクのトランスポートフォーマット（トランスポートブロックサイズ、変調・符号化方式（ＭＣＳ））及びＵＥ５への割当リソースブロックを決定するスケジューラを含む。
【００２７】
・ＲＬＣ層：ＭＡＣ層及びＰＨＹ層の機能を利用してデータを受信側のＲＬＣ層に伝送する。ＵＥ５のＲＬＣ層とｅＮｏｄｅＢ４のＲＬＣ層との間では、論理チャネルを介してデータ及び制御信号が伝送される。
・ＰＤＣＰ層：ヘッダ圧縮・伸張、及び暗号化・復号化を行う。
・ＲＲＣ層：制御信号を取り扱う制御プレーンでのみ定義される。ＵＥ５のＲＲＣ層とｅＮｏｄｅＢ４のＲＲＣ層との間では、各種設定のためのメッセージ（ＲＲＣメッセージ）が伝送される。ＲＲＣ層は、無線ベアラ（マルチキャストベアラ及びユニキャストベアラ）の確立、再確立及び解放に応じて、論理チャネル、トランスポートチャネル及び物理チャネルを制御する。ＵＥ５のＲＲＣとｅＮｏｄｅＢ４のＲＲＣとの間に接続（ＲＲＣ接続）がある場合、ＵＥ５はＲＲＣコネクティッドモードとなり、そうでない場合はＲＲＣアイドルモードとなる。
【００２８】
以上の層はコントロールプレーン及びユーザープレーンの双方にて使用される。一方、コントロールプレーンのみ、ＵＥ５及びＥＰＣ３には、ＲＲＣ層よりさらに上位に、セッション管理及びモビリティ管理等を行うＮＡＳ層が設けられる。
【００２９】
次に、図７は、ＬＴＥシステムにおける下りリンクのチャネルマッピングを示す。ここでは、論理チャネル（Downlink Logical Channel）、トランスポートチャネル（Downlink Transport Channel）及び物理チャネル（Downlink Physical Channel）相互間のマッピング関係を示している。以下、順に説明する。
・ＤＴＣＨ（Dedicated Traffic Channel：専用トラフィックチャネル）は、データの送信のための個別論理チャネルである。ＤＴＣＨは、トランスポートチャネルであるＤＬＳＣＨ（Downlink Shared Channel：下りシェアドチャネル）にマッピングされる。
・ＤＣＣＨ（Dedicated Control Channel：専用制御チャネル）：ＵＥ５とネットワークとの間の個別制御情報を送信するための論理チャネルである。ＤＣＣＨは、ＵＥ５がＲＲＣ接続を有する場合に用いられる。ＤＣＣＨは、ＤＬＳＣＨにマッピングされる。
・ＣＣＣＨ（Common Control Channel：共通制御チャネル）：ＵＥ５とｅＮｏｄｅＢ４との間の送信制御情報のための論理チャネルである。ＣＣＣＨは、ＵＥ５がｅＮｏｄｅＢ４（ネットワーク）との間でＲＲＣ接続を有していない場合に用いられる。ＣＣＣＨは、ＤＬ−ＳＣＨにマッピングされる。
【００３０】
・ＢＣＣＨ（Broadcast Control Channel：放送制御チャネル）：システム情報配信のための論理チャネルである。ＢＣＣＨは、トランスポートチャネルであるＢＣＨ（Broadcast Channel、放送チャネル）又はＤＬＳＣＨにマッピングされる。
・ＰＣＣＨ（Paging Control Channel：ページング制御チャネル）：ページング情報、及びシステム情報変更を通知するための論理チャネルである。ＰＣＣＨは、トランスポートチャネルであるＰＣＨ（Paging Channel：ページングチャネル）にマッピングされる。
・ＭＣＣＨ（Multicast Control Channel：マルチキャスト制御チャネル）：マルチキャスト伝送のための論理チャネルである。ＭＣＣＨは、ｅＮｏｄｅＢ４からＵＥ５へのＭＴＣＨ用のｅＭＢＭＳ制御情報の送信のために用いられる。ＭＣＣＨは、トランスポートチャネルであるＭＣＨ（Multicast Channel：マルチキャストチャネル）にマッピングされる。
・ＭＴＣＨ（Multicast Traffic Channel：マルチキャストトラフィックチャネル）：ｅＮｏｄｅＢ４からＵＥ５へのマルチキャストデータ（コンテンツ）を伝送するための論理チャネルである。ＭＴＣＨは、ＭＣＨにマッピングされる。
【００３１】
また、トランスポートチャネルと物理チャネルとの間のマッピング関係は以下の通りである。
・ＤＬＳＣＨ及びＰＣＨ：ＰＤＳＣＨ（Physical Downlink Shared Channel：物理下りシェアドチャネル）にマッピングされる。ＤＬ−ＳＣＨは、ＨＡＲＱ、リンクアダプテーション、及び動的リソース割当をサポートする。
・ＢＣＨ：ＰＢＣＨ（Physical Broadcast Channel：物理ブロードキャストチャネル）にマッピングされる。
・ＭＣＨ：ＰＭＣＨ（Physical Multicast Channel：物理マルチキャストチャネル）にマッピングされる。ＭＣＨは、複数のセルによるＭＢＳＦＮ伝送をサポートする。
【００３２】
次に、ＬＴＥシステムにおいては、ＵＥ５はｅＮｏｄｅＢ４に対してＯＦＤＭ（Orthogonal Frequency-Division Multiplexing、直交周波数分割多重）アクセス（ＯＦＤＭＡ）により無線接続する。ＯＦＤＭＡ方式は、周波数分割多重と時間分割多重とを複合させた二次元の多重化アクセス方式として特徴づけられる。具体的には、直交する周波数軸と時間軸のチャネル（サブキャリア）を分割してＵＥ５に割り振り、各サブキャリアの信号がゼロ（0点）になるように周波数軸上で直交するサブキャリアを分割する。サブキャリアを分割して周波数軸上に割り当てることにより、あるサブキャリアがフェージングの影響を受けても影響のない別のサブキャリアを選択することができるので、ユーザーは無線環境に応じてより良好なサブキャリアを使用でき、無線品質を維持できる利点が生ずる。
【００３３】
そして、ＯＦＤＭＡ方式においては、周波数軸と時間軸とが張る仮想平面上で定義されるリソースブロック(Resource Block：以下、ＲＢともいう）が無線リソースとして採用される。ＲＢは図８に示すように、上記平面を１８０ｋＨｚ／０．５ｍｓｅｃでマトリックスに区切ったブロックとして定義され、各ブロックは周波数軸上では１５ｋＨｚ間隔で隣接する１２個のサブキャリアを、時間軸上ではフレームの１スロット分（７シンボル）を含む。このＲＢは時間軸上で隣接する２つ（１ｍｓｅｃ）を１組としてＵＥ５に割り当てられる。
【００３４】
図９は、ＰＢＣＨを用いて配信されるシステム情報の無線データフレームの概念を示している。該システム情報は、使用される論理チャネルがＢＣＣＨであることからも明らかなとおり、対象となるすべてのＵＥ５に一斉配信される制御用の報知情報を含むものである。以下、この報知情報の配信方式について説明する。まず、ＬＴＥシステムの物理層は、図８を用いて説明した通り、無線リソースを時間と周波数とを多重化して利用する方式になっており、規格により、その時間軸は１０ｍｓ周期の無線フレーム（Radio Frame：ＲＦ）によって区切られる。また、無線フレームを１０分割した１ｍｓの単位をサブフレームと称し、1つのサブフレームは、さらに２つのスロットに分割される。
【００３５】
ＬＴＥシステムにおいては、上記の報知情報の送信量を運用・環境ごとに柔軟に変更するために、ＰＢＣＨを用いた固定的な報知情報リソースと、ＰＤＳＣＨを用いた可変的に使用できる無線リソースとが組み合わせて使用される。ここで固定的なリソースであるＰＢＣＨを用いるのは、ＵＥ５が最初に取得する情報として報知情報が定められており、ＵＥ５がｅＮｏｄｅＢ４からの通知を受けることなしに受信できる必要があるためである。ＵＥ５は固定的なリソースであるＰＢＣＨを最初に受信し、ＰＢＣＨからＰＤＳＣＨを受信するための最低限の情報を得て、その情報をもとにＰＤＳＣＨにて送られる報知情報を読むようにしている。ＰＤＳＣＨはＲＢ単位で割り当て可能な可変リソースであるため、ＰＤＳＣＨにて送信する報知情報の量は可変である。これにより報知情報に使用するリソース量の変更が実現され、ネットワーク運用や環境により異なる報知情報量に応じた無線リソースの割り当てが可能となる。
【００３６】
このＰＢＣＨにより送信される報知情報のうちＭＩＢ（Master Information Block）と称されるものは、図９に示すように、無線フレームの先頭（すなわち、サブフレーム番号＝０）で送信されるものであり、時間リソース及び周波数リソースが常に固定された形で割り当てられる。その、送信情報は、例えばＰＤＳＣＨにより他の報知情報（例えばＳＩＢ（System Information Block））を受信するための情報、及び無線フレーム番号（ＳＦＮ : System Frame Number）などである。
【００３７】
本実施形態では、このＭＩＢを利用して、ｅＮｏｄｅＢ４はＵＥ５に対し、マルチキャストベアラ１１が構築されるのに先立ってマルチキャストに使用するチャネル情報（例えば、ＭＣＨチャネルに割り当てるリソース設定情報）を配信する。ＭＩＢのサイズは２４ビットに固定されているが、そのうちの１０ビットは予備領域となっているので、例えばこの予備領域を利用してマルチキャストチャネル情報を組み込むことが可能である。
【００３８】
以下、図１のマルチキャスト配信システム１の動作について説明する。図１０は通信フロー図、図１１はＥＰＣ３の処理シーケンスを示すフローチャート、図１２はeＮｏｄｅＢ４の処理シーケンスを示すフローチャートである。図１１において、Ｓ１０２〜Ｓ１０５はＥＰＣ３のコントロールプレーン側ノード装置（ＭＭＥ）としての機能フローを、Ｓ１０６〜Ｓ１１１はユーザープレーン側ノード装置（ＰＧＷ）としての機能フローを示す。まず、Ｓ１０１にてコアネットワークのＥＰＣ３のシステムを起動する。するとＳ１０２にてｅＮｏｄｅＢ４に対し、マルチキャストベアラ１１をデフォルトで構築するためのセッション開始要求を送信する（図１０：ＴＳ１１、マルチキャストベアラ構築指示）。
【００３９】
一方、eＮｏｄｅＢ４は、図１２のＳ２０１でシステムが起動されると、Ｓ２０２（図１０：ＴＳ１１）でＥＰＣ３からマルチキャストベアラ構築のセッション開始要求（マルチキャストベアラ構築指示）を受信する。続いて、Ｓ２０３（図１０：ＴＳ１２）で、ＵＥ５との間にマルチキャストベアラを構築するための準備として、マルチキャストチャネル情報をＭＩＢに組み込み、ＰＢＣＨによりＵＥ５に送信する。なお、マルチキャストチャネル情報はＰＤＳＣＨにてＳＩＢに組み込んで配信することも可能であるが、ＰＢＣＨのＭＩＢはリソース設定が時間軸上及び周波数軸のいずれにおいても固定化されているため、マルチキャストチャネル情報の配信手順が格段に簡単化される利点がある。ここで、「マルチキャストチャネル情報」はマルチキャストベアラ１１を構築する際に、eＮｏｄｅＢ４が設定するマルチキャストチャネルの特性を示す情報であり、マルチキャストチャネルのチャネルナンバー、チャネル帯域幅と、変調方式、伝送速度（送信レート）などの情報が含まれる。
【００４０】
ＵＥ５はＭＩＢを受信し、これに含まれているマルチキャストチャネル情報を用いてマルチキャストベアラ１１を構築するためのチャネル設定を行なう（ＴＳ１３）。ここで、ＭＩＢは、その後に受信するＳＩＢと合わせて接続先となるeＮｏｄｅＢ４を決定するのに必要な報知情報も含み、これを用いてマルチキャストベアラ１１の構築先となるeＮｏｄｅＢ４を決定する。eＮｏｄｅＢ４が決定すれば、デフォルトにてマルチキャストベアラを構築するとともに（ＴＳ１４）、マルチキャストセッション開始の応答をｅＮｏｄｅＢ４に送信する（ＴＳ１５）。
【００４１】
図１２のＳ２０４にてマルチキャストベアラが構築されると、ｅＮｏｄｅＢ４はＳ２０５にてＥＰＣ３にマルチキャストセッション開始の応答を送信する（図１０：ＴＳ１６）。この場合、マルチキャストセッション開始の応答が予め定められた数のＵＥ５（あるいは、ｅＮｏｄｅＢに接続中の全てのＵＥ５）から得られるのを待って、ｅＮｏｄｅＢ４からＥＰＣ３にマルチキャストセッション開始の応答を送信するようにしてもよい。
【００４２】
こうして、ｅＮｏｄｅＢ４とＵＥ５との間にデフォルトにてマルチキャストベアラ１１が構築されれば、ＥＰＣ３は図１１のＳ１０３にてマルチキャストセッション開始の応答を受信し、Ｓ１０４にてｅＮｏｄｅＢ４にユニキャストベアラ１２を構築するためのセッション開始要求（ユニキャストベアラ構築指示）を送信する（図１０：ＴＳ１７）。ｅＮｏｄｅＢ４は、図１２のＳ２０６にてこれを受信し、Ｓ２０７にてＵＥ５に対しユニキャストベアラ１２のリソース設定情報を送信する（図１０：ＴＳ１８）。このリソース設定情報は前述のＭＩＢ及びＳＩＢを用いた報知情報として送信される。ＵＥ５ではこれを用いてユニキャストベアラ１２のリソース設定を行ない、デフォルトのユニキャストベアラ１２を構築する（図１０：ＴＳ１９）とともに、セッション開始の応答をｅＮｏｄｅＢ４に送信する（図１０：ＴＳ２０）。ユニキャストベアラ１２の構築シーケンスは従来のシステムと同様であり、詳細な説明は略する。
【００４３】
こうしてマルチキャストベアラ１１（及びユニキャストベアラ）が構築されれば、図１のメディアサーバ６からＥＰＣ３、ｅＮｏｄｅＢ４及びマルチキャストベアラ１１を経由してＵＥ５に向け、マルチキャストデータ（マルチキャストコンテンツ）の配信が開始される（図１０：ＴＳ２１〜２３）。
【００４４】
図１のマルチキャスト配信システム１の構成は、図１３の従来のシステムの構成と比較すれば明らかな通り、ＥＰＣ３（コアネットワーク制御ノード装置）が、マルチキャストプロキシ部を３ｂ備えていることで、コントロールプレーンとユーザープレーンの双方のデータを一括して取り扱うゲートウェイとして機能できる結果、図１３のＭＢＭＳ−ＧＷ２０１及びＢＭ−ＳＣ２０６が不要となっている。また、コントロールプレーン側とユーザープレーン側の処理主体となる装置がＥＰＣ３（コアネットワーク制御ノード装置）に一本化されることで、制御データとユーザーデータとの同期制御が同一装置の内部処理となるため自明的に実現し、図１３の従来のシステムに設けられていたＭＣＥ２０３も不要となっている。
【００４５】
そして、コアネットワーク内の処理装置の数が上記のように減じられる結果、システム全体の通信フロー（動作シーケンス）は図１０のごとく格段に簡略化され、マルチキャストベアラ構築設定処理のステップ数も、図１４の従来システムの通信フローと比較して大幅に削減されていることがわかる。
【００４６】
さらに、ＵＥ５（移動端末）がeＮｏｄｅＢ４（無線基地局）へ初期接続した段階で、ＵＥ５とコアネットワークとの間には、ユニキャストベアラ１２だけではなくマルチキャストベアラ１１がデフォルトで張られる状態が実現する。すなわち、マルチキャストデータをＵＥ５に向けて送信できる環境がシステム立ち上げ直後から整い、配信遅延なども生じにくくなる。
【００４７】
マルチキャストベアラ及びユニキャストベアラが確立したのちは、ＥＰＣ３において図１１のＳ１０６以下の処理が実行される。すなわち、Ｓ１０６にて配信データをなすＩＰパケット３００（図４参照）を受信すれば、Ｓ１０７にて送信先ＩＰアドレス３０１ｂの内容を読み取り、配信されているデータがユニキャストパケットであるかマルチキャストパケットであるかを判別する。ユニキャストパケットであればＳ１１１に進み、ユニキャストベアラ１２での配信をｅＮｏｄｅＢ４に指示する。一方、マルチキャストパケットであれば、Ｓ１０８にて、受信したマルチキャストパケットが予め定められた送信先ＩＰアドレスを付与された、特定送信先マルチキャストパケットであるか否かを判別する。特定送信先マルチキャストパケットであればＳ１１０に進み、これを送信対象マルチキャストパケットとしてマルチキャストベアラ１１での配信をｅＮｏｄｅＢ４に指示する。一方、特定送信先のマルチキャストパケットでなかった場合はＳ１０９に進み、マルチキャストパケットを棄却する（つまり、配信を行わない）。
【００４８】
上記の方式は、例えば特定地域をターゲットとしたコンテンツ配信や、災害エリアでの緊急情報を含むコンテンツ配信などにおいて、上記ＥＰＣ３（コアネットワーク）上に特設されたｅＮｏｄｅＢ４（無線基地局：例えば、移動式無線基地局）のみを対象としてマルチキャストデータ配信を行ないたい場合に有効である。この場合、ｅＮｏｄｅＢ４側の処理は、図１２のＳ２１０以下の流れとなる。すなわち、Ｓ２１０において受信したＩＰパケットがマルチキャストパケットであればＳ２１１に進み、マルチキャストベアラ１１により接続中のＵＥ５に配信する。
【００４９】
この場合、ＥＰＣ３にて収集されるマルチキャスト（コンテンツ）データは、ＥＰＣ３の側で配信対象とするか否かの選別がすでになされている。よって、ｅＮｏｄｅＢ４は、選別の終わったマルチキャストデータを送信先ＩＰアドレスの内容と無関係に、一律に接続中のＵＥ５に配信するだけでよくなる。つまり、コンテンツデータのＩＰアドレスと、接続中のＵＥ５のＩＰアドレスとの照合等が不要となり、受信したマルチキャストデータを構築中のマルチキャストベアラ１１にいわば垂れ流しにすればよいので、配信処理の大幅な簡略化を図ることができる。
【００５０】
他方、ユニキャストデータを受信した場合は、Ｓ２１２以下の処理となる。すなわち、ｅＮｏｄｅＢ４がカバーするセル内にユニキャストベアラ１２にてＵＥ５が接続中であり、Ｓ２１２で（そのＵＥ５のＩＰアドレスを有した）ユニキャストデータのパケットを受信していた場合に、Ｓ２１３でそのユニキャストデータのパケットをユニキャストベアラ１２に送信する。Ｓ２１４で処理終了でなければＳ２１０に戻り、以下、Ｓ２１３までの処理を繰り返す。
【００５１】
以上、本発明の実施の形態について説明したが、あくまで例示であって、本発明はこれに限定されるものではない。
【符号の説明】
【００５２】
１  マルチキャスト配信システム
３  ＥＰＣ（コアネットワーク制御ノード装置）
３ａ  制御部（ＭＰＵ）
３ｂ  マルチキャストプロキシ部
３ｄ  コア側マルチキャストベアラ設定指示部
３ｅ  コア側ユニキャストベアラ設定指示部
３ｆ  コア側送受信部
３ｊ  マルチキャストパケット管理部
４  ｅＮｏｄｅＢ（無線基地局）
４ａ  制御部（ＭＰＵ）
４ｄ  基地局側マルチキャストベアラ設定指示部
４ｅ  基地局側ユニキャストベアラ設定指示部
４ｆ  基地局側無線送受信部
４ｇ  ユニキャスト送受信Ｉ／Ｆ
４ｈ  マルチキャスト送受信Ｉ／Ｆ
４ｉ  マルチキャストチャネル情報配信部
５  ＵＥ（移動端末）
５ｂ  第二マルチキャストベアラ構築部
５ｃ  第二ユニキャストベアラ構築部
５ｆ  端末側無線送受信部
５ｉ  マルチキャストチャネル設定部
６  メディアサーバ
７  Ｅ−ＵＴＲＡＮ
１１  マルチキャストベアラ
１２  ユニキャストベアラ
【図１】
2020123942.tif 000003
【図２】
2020123942.tif 000004
【図３】
2020123942.tif 000005
【図４】
2020123942.tif 000006
【図５】
2020123942.tif 000007
【図６】
2020123942.tif 000008
【図７】
2020123942.tif 000009
【図８】
2020123942.tif 000010
【図９】
2020123942.tif 000011
【図１０】
2020123942.tif 000012
【図１１】
2020123942.tif 000013
【図１２】
2020123942.tif 000014
【図１３】
2020123942.tif 000015
【図１４】
2020123942.tif 000016